(57)【要約】【課題】電動送風機の振動により、掃除機全体が振動するのを防止できる電気掃除機を提供する。【解決手段】本電気掃除機は、吸引電動機部を下側で支持するように設けられ、電動送風機に連通する筒状の塵埃分離部と、この吸引電動機部を下側で支持するように設けられ、塵埃分離部で分離された塵埃を溜める筒状の集塵部と、この集塵部を支持し、移動用車輪を設けたリング状の基台とを備え、この基台には、昇降機構により昇降する支持部材が設けられ、この支持部材には、集塵部を吊り下げる吊り下げ手段を有することで掃除機全体が振動するのを防止する。【選択図】  図１
2010213822.tif 000002
【特許請求の範囲】
【請求項１】
排気口が設けられたケーシング内に電動送風機が収容された吸引電動機部と、
この吸引電動機部の下側に設けられ前記電動送風機に連通する筒状の塵埃分離部と、
この塵埃分離部で分離された塵埃を溜める集塵部とを備え、
前記電動機部と前記塵埃分離部を上方に、且つ前記集塵部を下方に支持し、前記塵埃分離部と前記集塵室が連通可能な中空部を備えた支持部が設けられ、
前記塵埃分離部には、外気と連通する吸気口と細塵分離用のフィルタを備え、
前記支持部材は、前記集塵部を吊り下げる吊り下げ手段を有することを特徴とする電気掃除機。
【請求項２】
前記支持部材は、移動用車輪を備えた基台と脚部で連結され、前記脚部は折りたたみ自在で前記支持部材を昇降可能にすることを特徴とする請求項1に記載の電気掃除機。
【請求項３】
前記集塵部は、ゴミ箱であることを特徴とする請求項１または２に記載の電気掃除機。
【請求項４】
前記基台はリング状に形成され、前記支持部材はリング状部に収容可能であることを特徴とする請求項１ないし３のいずれか１項に記載の電気掃除機。
【発明の詳細な説明】
【技術分野】
【０００１】
本発明は電気掃除機に係り、特に分解可能に構造を改良した電気掃除機に関する。
【背景技術】
【０００２】
従来、電気掃除機として、上部に吸引力を発生する電動送風機を収容した吸引電動送風機部を、下方にペール缶を用いた集塵室を配設し、さらに、集塵室を移動用車輪を設けたリング状の基台に載置したものが提案されている。
【０００３】
この種の電気掃除機にあっては、ペール缶の下方は、ペール缶の底板が電動送風機の始動、停止等による変形、復元を繰り返し、底板の変形、復元する時に異常音が発生する。
【０００４】
そこで、集塵室の底面を曲面または屈曲面で構成し、電動送風機の始動，停止時の負圧と大気圧の変化に対して底板は十分耐えるように曲面または屈曲面としてあるので、本体スイッチの入切による電動送風機の始動，停止時の吸引力の有無に関係なく底板の変形をなくして異常音を防止することができる電気掃除機が提案されている（例えば、特許文献１参照）。
【先行技術文献】
【特許文献】
【０００５】
【特許文献１】特開２００２−３３０９０２号公報
【発明の概要】
【発明が解決しようとする課題】
【０００６】
しかしながら、特許文献１に記載の電気掃除機は、ペール缶の変形による異常音の発生は防止できるが、振動源である電動送風機が支持部材、剛性を有するペール缶を介してキャスタ、ローラを備えた基台上に載置される形態であるため、電動送風機の振動により、掃除機全体が振動する問題があった。
【０００７】
本発明は上述した事情を考慮してなされたもので、基台に設け、昇降機構により昇降するリング状支持部材に、可撓性を有する支持体を取り付け、この支持体により集塵部を吊り下げることで、吸引電動機部、塵埃分離部及び集塵部が、一体的に基台に移動可能に懸装され、電動送風機の振動により、掃除機全体が振動するのを防止できる電気掃除機を提供することを目的とする。
【課題を解決するための手段】
【０００８】
上述した目的を達成するため、本発明に係る電気掃除機は、排気口が設けられたケーシング内に電動送風機が収容された吸引電動機部と、この吸引電動機部の下側に設けられ前記電動送風機に連通する筒状の塵埃分離部と、この塵埃分離部で分離された塵埃を溜める集塵部とを備え、前記電動機部と前記塵埃分離部を上方に、且つ前記集塵部を下方に支持し、前記塵埃分離部と前記集塵室が連通可能な中空部を備えた支持部が設けられ、前記塵埃分離部には、外気と連通する吸気口と細塵分離用のフィルタを備え、前記支持部材は、前記集塵部を吊り下げる吊り下げ手段を有することを特徴とする。
【発明の効果】
【０００９】
本発明によれば、基台に設けた昇降機構により昇降するリング状支持部材に、可撓性を有する支持体を取り付け、この支持体により集塵部を吊り下げることで、吸引電動機部、塵埃分離部及び集塵部が、一体的に基台に移動可能に懸装され、電動送風機の振動により、掃除機全体が振動するのを防止できる電気掃除機を提供することができる。
【図面の簡単な説明】
【００１０】
【図１】本発明の一実施形態に係る電気掃除機の概念図。
【図２】本発明の一実施形態に係る電気掃除機の集塵室を取り外して示す斜視図。
【図３】本発明の一実施形態に係る電気掃除機の塵埃分離部の斜視図。
【図４】本発明の一実施形態に係る電気掃除機の塵埃分離部の円筒体の斜視図。
【図５】本発明の一実施形態に係る電気掃除機の集塵部の斜視図。
【図６】本発明の一実施形態に係る電気掃除機の基台の使用状態の斜視図。
【図７】本発明の一実施形態に係る電気掃除機の基台の収納状態の斜視図。
【図８】本発明の一実施形態に係る電気掃除機の基台の収納状態の底面図。
【図９】本発明の一実施形態に係る電気掃除機の支持体近傍の平面図。
【発明を実施するための形態】
【００１１】
本発明の一実施形態に係る電気掃除機について添付図面を参照して説明する。
【００１２】
図１及び図２に示すように、本発明の一実施形態に係る電気掃除機１は、上部から順に、吸引電動機部２、塵埃分離部３、集塵部４が積み重ねられてなる掃除機ユニット５が、基台６に設けた昇降機構７により昇降する支持部材８に取り付けた吊り下げ手段である可撓性の支持体９によって懸架される。
【００１３】
掃除機ユニット５を形成する吸引電動機部２、塵埃分離部３及び集塵部４は、使用時にはクランプによって気密的に一体化され、不使用、収納時には、バラバラに分解可能になっている。
【００１４】
吸引電動機部２は、ドーム形状のケーシング２１を備え、上部に把手２２が設けられ、下部外周には、排気口２３が設けられ、ケーシング２１内部には、塵埃分離部３に負圧を発生させる電動送風機２４が設けられ、電動送風機２４の空気吹出口は排気口２３に連通される。
【００１５】
従って、塵埃分離部３で除塵された空気は、電動送風機２４を介して排気口２３から外部に排気される。
【００１６】
図３及び図４に示すように、吸引電動機部２（図１）が気密的に載置される塵埃分離部３は、上下面が開放された円筒体３１を備え、円筒体３１に上部には、略帽子形状の細塵分離用のフィルタ３２が設けられる。このフィルタ３２は、円筒体３１に着脱自在に嵌め込まれる格子状支持部材３３により、支持されて円筒体３１に収容される。
【００１７】
また、円筒体３１のフィルタ３２下方近傍には、塵埃分離部３の内部で、吸気が旋回流となるように吸気口が設けられ、この吸気口は例えば、円筒体３１内にわずかに突出する円筒管３４からなり、この円筒管３４は円筒体３１と同心円方向でかつ、わずかに下方を向いて開口している。
【００１８】
従って、電動送風機２４（図１）の回転に伴う負圧により、塵埃分離部３に吸込まれた含塵空気は、円筒管３４から勢いよく吹き出され、旋回流となり、質量差により、比較的大きな塵埃は、分離されて、集塵部４に溜まる。
【００１９】
一方、細塵を含む空気は、細塵分離用のフィルタ３２で細塵が空気と分離されて、空気が電動送風機２４に吸込まれる。
【００２０】
図５に示すように、集塵部４は有底円筒形状をなし、ペール缶を用いたゴミ箱からなる。規格品であるペール缶を用いることで、安価になり、また、ゴミ箱として用いるペール缶を兼用できる。
【００２１】
図６〜図８に示すように、基台６は略四角リング状の基材６１を備え、この基材６１の下面には、移動用車輪である複数のキャスタ６２が設けられ、移動自在になっている。
【００２２】
一方、基材６１の上面には、昇降機構７が設けられ、この昇降機構７の上部には支持部材８が設けられる。
【００２３】
昇降機構７は、脚部である一対のコ字状の支柱７１ａ、７１ｂと、支柱７１ａの水平部で、支柱７１ａを回動自在に支持する可動回動支持部７２ａと、支柱７１ｂの水平部で、この支柱７１ｂを回動自在に支持する固定回動支持部７２ｂと、支柱７１ａ、７１ｂの脚部で支柱７１ａ、７１ｂを互いにＸ字状に回動（開閉）させる回動支点部材７３、７３が設けられる。
【００２４】
可動回動支持部７２ａは、水平移動機構７４に水平移動自在に取り付けられる。
【００２５】
この水平移動機構７４は、平行に配置された一対のガイド部材７５、７５と、この一対のガイド部材７５、７５間を移動し、可動回動支持部７２ａが設けられた移動部材７６とからなる。
【００２６】
ガイド部材７５、７５の裏面には、歯部（図示省略）が設けられ、ガイド部材７５、７５を平行移動させ、レバー７７の回動により進退する係止片（図示省略）を係合させることで、位置決めを行い、ストッパー７８でレバー７７の不用意な回動を防ぐ。
【００２７】
そして、移動部材７６を移動させることで、支柱７１ａの水平部を水平方向に移動させながら、可動回動支持部７２ａにより、上側が回転可能に支持された支柱７１ａの下側を、回動支点部材７３を回動の支点として、下方に回動させ、これに応動した、固定回動支持部７２ｂにより、上側が回転可能に支持された支柱７１ｂの下側を、回動支点部材７３を回動の支点として、下方に回動させる。
【００２８】
支柱７１ａ、７１ｂ下側の下方への回動により、支柱７１ａ、７１ｂの上部に設けた支持部材８は上昇し、昇降機構７は伸長状態になって使用状態になる。
【００２９】
これとは逆に、支柱７１ａ、７１ｂ下側の上方への回動により、支柱７１ａ、７１ｂの上部に設けた支持部材８は下降し、昇降機構７は折り畳まれて収納状態になる。
【００３０】
支持部材８は、例えば、リング部８ａが設けられたリング状をなし、集塵部４が遊挿される。
【００３１】
なお、支持部材８は、リング状であるのが好ましいが、必ずしもリング状である必要はなく、集塵部が挿入されるリング部が設けられていればよい。
【００３２】
さらに、昇降機構７は、折り畳み自在であり、基台６の背丈を低くすることができる。
【００３３】
また、支持部材８の外形を、略四角リング状の基材６１の中空部６１ａと略同一形状にすることにより、収納時、支持部材８を中空部６１ａ内に収容することで、基台６の厚さをより薄くできる。
【００３４】
図９に示すように、支持部材８には、可撓性を有する例えばバンド状の編体からなる支持体９が、複数本、例えば２本が十字状に交差するように取り付けられる。
【００３５】
１本の支持体９は、一端９１がリング部８ａの上端近傍に固着され、他端９２が上記一端に対向するリング部８ａの上端近傍に固着される。
【００３６】
他の１本の支持体９も同様に、一端９１がリング部８ａの上端近傍に固着され、他端９２が上記一端に対向するリング部８ａの上端近傍に固着される。
【００３７】
支持体９、９の吊り下げ時下端になるすなわち、中央部には、支持体９、９によりゴミ箱からなる集塵部４（図５）を吊り下げるために用いる例えば裏面外周にフランジ部１０１が設けられた円盤形状の載置板１０が取り付けられる。
【００３８】
この載置板１０の外径は、支持部材８のリング部８ａの外径よりも小さく、ゴミ箱である集塵部４の外径より大きくするのが好ましい。
【００３９】
また、載置板１０の支持体９、９への動きのない取り付けは、フランジ部１０１の外周に９０°間隔で穿設された挿通孔１０２、１０２、１０２、１０２に、支持体９、９が十字の交差する状態で通した後、円盤状の固定部材１０３を載置板１０に螺着することで行う。
【００４０】
従って、載置板１０は支持体９を介して支持部材８に揺動自在に吊り下げられる。
【００４１】
上記支持構造により、図１に示すように、掃除機ユニット５は、基台６のリング状の支持部材８から可撓性を有する支持体９によって吊り下げられる載置板１０に載置されることで、揺動可能に懸架される。
【００４２】
なお、図１中、符号１１は吸込ホースである。
【００４３】
次に、本発明の一実施形態に係る電気掃除機１の使用方法について説明する。
【００４４】
図１に示すように、電動送風機２４の回転に伴い、吸引電動機部２に負圧が発生すると、吸引電動機部２に連通する塵埃分離部３も負圧になる。この塵埃分離部３の負圧に伴い、図示省略の吸込ノズル、吸込ホース（図１）を介して含塵空気が、吸気口をなす円筒管３４から、塵埃分離部３に高速で吸引される。
【００４５】
この円筒管３４から高速で吸引された含塵空気は、図４に示す円筒体３１内にわずかに突出する円筒管３４からなり、円筒管３４は円筒体３１と同心円方向でかつ、わずかに下方を向いた開口から、旋回流となって吹き出され、質量の大きな塵埃は、落下して、図５に示す集塵部４に溜まる。
【００４６】
一方、細塵を含む空気は、細塵分離用のフィルタ３２で細塵が空気と分離されて、空気が電動送風機２４に吸込まれ、電動送風機２４を介して排気口２３から外部に排気される。
【００４７】
このような電気掃除機１の使用時、掃除機ユニット５は、可撓性を有する支持体９によって吊り下げられる載置板１０に載置されているので、電動送風機２４の振動が、基台６に伝わることがなく、静かな運転が可能となり、さらに、電気掃除機１の移動時、キャスタ６２からの振動が、可撓性を有する支持体９に吸収されて、掃除機ユニット５に伝わらず、静かに移動させることができる。
【００４８】
掃除終了後は、ゴミ箱である集塵部４を電気掃除機１から取り外し、集塵部４に溜まったゴミを捨て、ゴミ箱として使用するのに適する部屋に置く。
【００４９】
このように、集塵部４に規格品で安価なゴミ箱を兼用するので、電気掃除機１を安価にできるばかりでなく、収納に集塵部４の収納場所を特に設ける必要がなく、さらに、集塵部４としての使用時に溜まったゴミと、ゴミ箱としての使用時に溜まったゴミを一度に捨てることができ便利である。
【００５０】
また、必要に応じて、図３に示す塵埃分離部３からフィルタ３２を取り出し、フィルタ３２をたたきフィルタ３２に付着した細塵を叩き落し、塵埃分離部３に戻す。
【００５１】
図２に示す集塵部４（図１）を取り外した電気掃除機１を、図６に示すように基台６を折畳み、集塵部４を除いた電気掃除機１の背丈を低くして、収納する。このとき、集塵部４分だけ背丈が低くなるので収納し易くなる。
【００５２】
また、図２に示す吸引電動機部２、図３に示す塵埃分離部３及び図６に示す基台６を各々別個に分解して収納することで、背丈が低くなり、収納し易くなる。
【００５３】
本実施形態の電気掃除機によれば、基台に設けた昇降機構により昇降するリング状の支持部材に、可撓性を有する支持体を取り付け、この支持体により集塵部を吊り下げることで、吸引電動機部、塵埃分離部及び集塵部が、一体的に基台に移動可能に懸装され、電動送風機の振動により、掃除機全体が振動するのを防止できる電気掃除機が実現する。
【符号の説明】
【００５４】
１…電気掃除機、２…吸引電動機部、２１…ケーシング、２２…把手、２３…排気口、２４…電動送風機、３…塵埃分離部、３１…円筒体、３２…フィルタ、３３…格子状支持部材、３４…円筒管、４…集塵部、５…掃除機ユニット、６…基台、６１…基材、６１ａ…中空部、６２…キャスタ、７…昇降機構、７１ａ、７１ｂ…支柱、８…支持部材、８ａ…リング部、９…支持体、１０…載置板、１０３…固定部材。
【図１】
2010213822.tif 000003
【図２】
2010213822.tif 000004
【図３】
2010213822.tif 000005
【図４】
2010213822.tif 000006
【図５】
2010213822.tif 000007
【図６】
2010213822.tif 000008
【図７】
2010213822.tif 000009
【図８】
2010213822.tif 000010
【図９】
2010213822.tif 000011